(57)【特許請求の範囲】
【請求項１】
帯状のベース地の長手方向片側に沿って縫代を並設し、次いでベース地よりも幅狭の組柄地の基部を縫代に組み付け、更にベース地と組柄地の突き合わせ個所に抜き糸を組み込み、而して抜き糸を引き抜いてベース地と組柄地の組合わせを解き、以てベース地の上面に組柄地が重合されることを特徴とするＹ組織ツインレースの製造法。
【請求項２】
帯状のベース地の長手方向両側に沿って縫代を並設し、次いでベース地よりも幅狭の組地幅を有する組柄地の基部を縫代に組み付け、更に組柄地相互の突き合わせ個所に抜き糸を組み込み、而して抜き糸を引き抜いて左右組柄地の組合わせを解き、以て
ベース地の上面に各組柄地が重合されることを特徴とするＹ組織ツインレースの製造法。
【発明の詳細な説明】
【０００１】
【発明の属する技術分野】
本発明は、衣料品・袋物・履物などの装飾用付属品となるＹ組織ツインレースの製造法に関する。
【０００２】
【従来の技術】
トーションレース機を用いて編織されるトーションレースにおいて、下着類や袋物の縁飾りとして使用する帯状のレースは、トーションレース機で予め円筒形に編成されている。このときレースの突き合わせ端部は抜き糸で組み合されているので、抜き糸を除去すると組合わせ部が解けて開口し全体が帯状物となる。
【０００３】
【発明が解決しようとする課題】
このような従来の帯状レースでは立体感に乏しいため、レース柄に種々腐心したりレースを構成する細糸に色物を使用するなどして変化を持たせるようにしているが、平板な印象はぬぐえず手ざわりも興趣に欠ける憾みがある。また平坦なレースでは長手方向に沿って画然と折り曲げることが容易でなく、例えばサンダルのベルト部分などを挟着するにも手数を要するといった不具合がある。
【０００４】
本発明はこのような従来の事情に鑑みてなされたもので、トーションレース機を用いて全体が側面Ｙ字形となるべくしたツインレースの製造法であり、単なる帯状レースと異なって折り曲げが容易で取り付けに手数がかゝらず、立体感があって装飾性に富み、長く飽きを生ずることなく使用されるＹ組織ツインレースが得られる方法を提供しようとするものである。
【０００５】
【課題を解決するための手段】
すなわち本発明は、帯状のベース地１の長手方向片側に沿って縫代２を並設し、次いでベース地１よりも幅狭の組柄地３の基部を縫代２に組み付け、更にベース地１と組柄地３の突き合わせ個所に抜き糸４を組み込み、而して抜き糸４を引き抜いてベース地１と組柄地３の組合わせを解き、以てベース地１の上面に組柄地３が重合されるべくしたＹ組織ツインレースの製造法を主旨としている。
【０００６】
また本発明は、帯状のベース地１１の長手方向両側に沿って縫代１２を並設し、次いでベース地１１よりも幅狭の組地幅を有する組柄地１３の基部を縫代１２に組み付け、更に組柄地１３相互の突き合わせ個所に抜き糸１４を組み込み、而して抜き糸１４を引き抜いて左右組柄地１３の組み合わせを解き、以てベース地１１の上面に各組柄地１３が重合されるべくしたＹ組織ツインレースの製造法を特徴とする。
【０００７】
【発明の実施の形態】
以下図面を参照して本発明を説明すると、図１は本発明の方法によりＹ組織ツインレースが得られる状態を示すもので、（ａ）図において１はメッシュ状に組んだ帯状のベース地であり、２は該ベース地１の長手方向に沿って並設した縫代である。３はベース地１よりも幅狭の組柄地で、基部を縫代２に組み付けている。これらベース地１、縫代２、組柄地３を構成する糸は同一のものでも別体のものでもよい。
【０００８】
４はベース地１と組柄地３の突き合わせ個所に組み込んだ抜き糸であり、この抜き糸４によってベース地１と組柄地３が一時的に組み合わされる。そしてこのような形態も、抜き糸４を引き抜くとベース地１と組柄地３の組み込みが解けて開口し、展開したベース地１の上面に組柄地３が重合し（ｂ）・（ｃ）図に示すＹ組織ツインレースが得られる。なお抜き糸４は引き抜く際に目視しやすくするためにベース地１、縫代２、組柄地３とは異なる色合の糸を用いることが好ましい。
【０００９】
組柄地３は自由な柄模様に組み込んだもので、衣服の袖口、袋物のへり、ドレスの飾りなどとして目立つ個所に配置される。糸の色合は用途に応じたものを使用し、ベース地１や縫代２と同一色の糸を用いた場合であっても、柄模様はそれらとは異なる独自の構成がとられる。
【００１０】
本発明により得られたＹ組織ツインレースが、例えば図２（ａ）のようにバッグ５１に縁どりとして用いられるときはベース地１の上面に重合された組柄地３が口部５１の外側に位置する。このときベース地１は組柄地３の内側に位置するが、組柄地３よりも幅広のため端部１’は組柄地３の下方に突出し外見される。したがってベース地１の端部１’には模様を施したり他の色糸を組み込むなどして装飾感を発揮するようにすることが好ましい。
【００１１】
図２の（ｂ）及び（ｃ）は本発明により得られたＹ組織ツインレースの他の使用例を示すもので（ｂ）はノースリーブ６０の首回りの飾り、（ｃ）はキャミソール７０に取り付けた状態を示す。いずれも縫代２をバッグ５０等の本体に縫付けると、ベース地１の端部１’と組柄地３が二重構造として目視され、立体的な外観を呈する。
【００１２】
図３は本発明の他の方法でＹ組織ツインレースが得られる状態を示すもので、１１は帯状のベース地、１２はベース地１１の長手方向両側に沿って並設した縫代、１３・１３はベース地１１よりも幅狭の組地幅を有し且つ基部を縫代１２に組み付けた左右の組柄地であり、これらを構成する糸は同一のものを使用しても、各別のものとしても差し支えはなく、また色合も用途に応じたものが選択される。
【００１３】
１４は左右の組柄地１３の突き合わせ個所に組み込んだ抜き糸であり、この抜き糸１４によって（ａ）図のように組柄地１３同士が一時的に組み合わされ、レース地が中空山形に構成される。そしてこのような中空山形の形態も、抜き糸１４を引き抜くと組柄地１３同士の組合わせが解けて開口し（ｂ）・（ｃ）図のように、ベース地１１の上面に組柄地１３が夫々重合して両側が側面Ｙ形となるツインレースが得られる。なお抜き糸１４は、引き抜く際に目視しやすくするためにベース地１１、縫代１２、組柄地１３とは異なる色合の糸を用いることが好ましい点では第１の例と変わりはない。
【００１４】
図４（ａ）は、上記の方法によって得られたツインレースをサンダルベルトに実施した使用例を示すもので、サンダル８０のベルト母体８０’を例えば透明もしくは半透明の素材で構成し、該母体８０’をベース地１１の上に乗せ且つ縫代１２内側の左右組柄地１３で挟み込むように取り付けると、上部の組柄地１３の柄模様と母体８０’を透過して視認されるベース地１１のメッシュ構造が相まって頗る装飾感にあふれるサンダルベルトが得られる。すなわちサンダルのベルト母体８０’は、（ｂ）・（ｃ）図示のように、下面のベース地１１と左右の組柄地１３で挾持されるが、中央部は露出状であるから透明若しくは半透明の場合にはベース地１１が透視され、母体８０’が着色状の場合には色彩豊かな組合わせとなる。
【００１５】
（ｄ）図は胴回り用ベルト９０に取り付けた使用例であり、この場合もベルト母体９０’を透明素材で構成し、該母体９０’をベース地１１の上に乗せ且つ左右の組柄地３で挟み込むと、ベース地１１の模様が透けて見えるため独特の装飾感が得られる。なおベルト母体９０’を透明素材とすることはあくまでも一例であり、組柄地１３に応じた着色素材等を用いることによっても興趣に富んだ外観を呈することができることはサンダルベルトの場合と同様である。
【００１６】
前記２つの製造法で得られたＹ組織ツインレースは、図５のような子供服１００に夫々を組み合わせて実施することもできる。例えば肩ひものフリル１０１、ベルト１０２、スカート１０３の縁、サンダルベルト１０４のような個所に施すことが可能であり、また子供服と同様、人形服にも容易に実施できる。
【００１７】
【発明の効果】
請求項１の製造法で得られるＹ組織ツインレースでは、ベース地の端部が組柄地の下部に突出するため二重構造のレースであることが一目瞭然であり従来の帯状レースとは異なる立体感にあふれ、またベース地の端部に柄模様を施したり色糸を用いることによって頗る装飾感に富む製品が得られるとともに、ベース地外側の組柄地がひらひらとした特異の外観を呈するので長く飽きを生ずることなく使用される。
【００１８】
縫代を基点としてベース地と組柄地が開閉できるＹ字形構造となっており、この部分にテープ状物を容易に挿入することができるので例えば人形ベルトのような細帯状のものを装飾するのに好適する。
【００１９】
請求項２の製造法で得られるＹ組織ツインレースでは、ベース地の左右に組柄地が位置するため立体的な二重構造を有し、またベース地と組柄地の間にサンダルベルトなどを容易に挿入できるためそれらを一層立体的且つ装飾感にあふれたものとすることができる。また左右の組柄地の柄模様や色合を変えることによって色彩豊かで豪華な外観の製品が得られる。
【００２０】
本発明は、平板な帯状レースとは異なる断面Ｙ字形のツインレースの製造法であり、そのため従来では装飾感が十分に発揮されなかった製品が得られ、子供服や人形服などはもとより、実用品であるバッグ、サンダル、下着、ハンカチ、マフラー等の広範な品に実施されるとともに、１回の縫製で２柄のレース付属を縫合させた外観を呈するため観者の興趣感を満足させるに十分な独創性にあふれ、就中トーションレース機によってスムーズに製造されるので製品を安価に提供できる実益がある。
【図面の簡単な説明】
【図１】  本発明の第１の実施形態を示し、（ａ）は抜き糸によりレース全体が中空状に形成された平面図、（ｂ）は抜き糸を除去してツインレースとなった平面図、（ｃ）はその側面図である。
【図２】  図１の実施形態により得られたツインレースの使用例を示すもので、（ａ）はバッグの縁どりとして、（ｂ）はノースリーブの首回りに、（ｃ）はキャミソールに取り付けた各斜視図である。
【図３】  本発明の第２の実施形態を示し、（ａ）は抜き糸により全体が中空状に形成された平面図、（ｂ）は抜き糸を除去してツインレースとなった平面図、（ｃ）はその側面図である。
【図４】  図３の実施形態により得られたツインレースの使用例を示すもので、（ａ）はサンダルのベルトに実施した斜視図、（ｂ）はベルト母体を取り付けた状態の部分説明図、（ｃ）はその断面図、（ｄ）は胴回りベルトに取り付けた斜視図である。
【図５】  子供服の各所に本発明によって得られたツインレースを用いた概略図である。
【符号の説明】
１、１１・・・・・ベース地
２、１２・・・・・縫代
３、１３・・・・・組柄地
４、１４・・・・・抜き糸
【図１】
0003760260.tif 000002
【図２】
0003760260.tif 000003
【図３】
0003760260.tif 000004
【図４】
0003760260.tif 000005
【図５】
0003760260.tif 000006